(57)【特許請求の範囲】
【請求項１】
無人飛行体と無人地上走行装置とを備える爆発物探知システムであって、
上記無人飛行体が、カメラと、ＧＰＳ受信器と、無線通信装置とを備え、探知した爆発物位置情報を上記無人地上走行装置に送信するものであり、
上記無人地上走行装置が、爆発物探知装置と、爆発物処理装置と、ＧＰＳ受信器と、無線通信装置と、演算装置とを備えるものであり、
上記演算装置が、上記無人飛行体及び／又は上記無人地上走行装置が備えるライダーによって取得した上記無人飛行体と上記無人地上走行装置との相対的位置と、上記無人飛行体又は上記無人地上走行装置のいずれか一方の上記ＧＰＳ受信器で取得したＧＰＳ自己位置とから、他方の相対的位置を演算するものであることを特徴とする爆発物探知システム。
【請求項２】
上記無人地上走行装置が、ＧＰＳ自己位置を取得できないとき、ＧＰＳ受信エラー、及び、上記相対的位置を送信し、
該ＧＰＳ受信エラーを受信した無人飛行体が、上記ライダーによる相対的位置取得可能エリア内で爆発物探知を行うものであることを特徴とする請求項１に記載の爆発物探知システム。
【請求項３】
上記無人地上走行装置が、ＧＰＳ自己位置を取得できないとき、ＧＰＳ受信エラー、及び、デッドレコニングによって取得したＤＲ自己位置を送信し、
該ＧＰＳ受信エラーを受信した無人飛行体が、上記無人地上走行装置のＤＲ自己位置に基づいて、上記ライダーによる相対的位置取得可能エリア内を飛行するものであることを特徴とする請求項１に記載の爆発物探知システム。
【請求項４】
上記無人地上走行装置が、ＧＰＳ自己位置及び上記相対的位置を取得できないとき、
ＧＰＳ受信できた位置までデッドレコニング航法により走行するものであることを特徴とする請求項３に記載の爆発物探知システム。
【請求項５】
上記無人地上走行装置が、上記無人飛行体からの爆発物位置情報に基づいて爆発物を処理するものであることを特徴とする請求項１〜４のいずれか１つの項に記載の爆発物探知システム。
【請求項６】
上記無人地上走行装置が、上記無人飛行体に電力を供給する給電装置を備えるものであることを特徴とする請求項１〜５のいずれか１つの項に記載の爆発物探知システム。
【請求項７】
上記無人飛行体が、無線通信の中継を行うことを特徴とする請求項１〜６のいずれか１つの項に記載の爆発物探知システム。
【請求項８】
無人飛行体及び／又は無人地上走行装置をそれぞれ複数備えることを特徴とする請求項１〜７のいずれか１つの項に記載の爆発物探知システム。
【発明の詳細な説明】
【技術分野】
【０００１】
本発明は、爆発物探知システムに係り、更に詳細には、無人飛行体と無人地上走行装置とが連携して爆発物を探知するシステムに関する。
【背景技術】
【０００２】
現在、地球上においては、しばしば紛争が発生することがあり、戦闘に使用される武器の１つに地雷等の爆発物がある。地雷は戦闘の終了後においても人や車両等に被害を及ぼすものであり、戦闘終了地域の安全な通行等を確保するためには、地雷を処理する必要がある。
【０００３】
従来、地雷の処理は、作業者が地雷探知器を持ち歩き、地雷探知器を操作しながら地雷の位置を確認して、地雷を爆破したり、掘り起こして回収したりすることが行われており、地雷の探知ミス等によって作業者に被害が及ぶ危険性がある。
つまり、作業者が地上を移動しながら地雷を探知する場合は危険を伴うため、常に探知精度が高精度であることが要求される。
【０００４】
特許文献１の特許第３３７６９５２号公報には、ＧＰＳにより位置情報を取得しながら、無人走行車を走行させることで、無人走行車に設けられた地雷探知装置の検出範囲をオーバーラップさせた探索ルートを設定することができ、探索範囲全域の地雷を漏れなく探知できる旨が開示されている。
【０００５】
また、ブルドーザやショベルカー等の地雷処理作業車を地雷掃討に使用することで、作業者が地雷掃討に伴う危険に曝されることなく、地雷を処理し、無力化することが行われている。
【０００６】
上記地雷処理作業車は、地雷の存在箇所がわかっている場合には有効であるが、地上を移動ながら地雷を探知し、地雷処理を行う場合は膨大な時間がかかり、迅速な地雷処理を行うことが困難である。
【０００７】
特許文献２の特開２００２−１６８６２３号公報には、飛翔体を用いて簡略的に広範囲の地雷を探知し、取得した地雷探知情報及び地形情報を、地上歩行ロボットに送信することで、地上歩行ロボットが地雷等の障害物を回避しながら、詳細な地雷探知情報を円滑に取得できる旨が開示されている。
【０００８】
また、特許文献３の特開２０１２−３７２０４号公報には、無人飛行手段が障害物検出部を備えることで、地表近くを低空飛行しても障害物を回避することができ、地雷の探知精度を向上できる旨が開示されている。
【先行技術文献】
【特許文献】
【０００９】
【特許文献１】特許第３３７６９５２号公報
【特許文献２】特開２００２−１６８６２３号公報
【特許文献３】特開２０１２−３７２０４号公報
【発明の概要】
【発明が解決しようとする課題】
【００１０】
しかしながら、無人探知装置等が移動するには、自己位置を把握しなければならず、ＧＰＳによる自己位置の取得には、複数のＧＰＳ衛星からの電波を同時に受信できる状態である必要がある。
したがって、特許文献１乃至３に記載のものにあっては、森の中や谷間等、ＧＰＳ電波を受信し難い場所では、正確な地雷等の爆発物の位置情報の記録だけでなく、爆発物探知や爆発物処理のための走行又は飛行自体が困難であり、また、基地局との通信が途切れて無人探知装置を失うことがある。
【００１１】
本発明は、このような従来技術の有する課題に鑑みてなされたものであり、その目的とするところは、森の中や谷間等、ＧＰＳ電波を受信し難い場所においても能率的な爆発物の探知・処理を行うことができる爆発物探知システムを提供することにある。
【課題を解決するための手段】
【００１２】
本発明者は、上記目的を達成すべく鋭意検討を重ねた結果、無人飛行体と無人地上走行装置の相対的な位置関係を取得することで、無人飛行体又は無人地上走行装置の一方がＧＰＳ電波を受信困難な場所であっても、自己位置情報を得ることができ、爆発物の探知・処理が可能になることを見出し、本発明を完成するに至った。
【００１３】
即ち、上記課題は、本発明の下記（１）〜（７）の「爆発物探知システム」によって解決される。
（１）「無人飛行体と無人地上走行装置とを備える爆発物探知システムであって、
上記無人飛行体が、カメラと、ＧＰＳ受信器と、無線通信装置とを備え、探知した爆発物位置情報を上記無人地上走行装置に送信するものであり、
上記無人地上走行装置が、爆発物探知装置と、爆発物処理装置と、ＧＰＳ受信器と、無線通信装置と、演算装置とを備えるものであり、
上記演算装置が、上記無人飛行体及び／又は上記無人地上走行装置が備えるライダーによって取得した上記無人飛行体と上記無人地上走行装置との相対的位置と、上記無人飛行体又は上記無人地上走行装置のいずれか一方の上記ＧＰＳ受信器で取得したＧＰＳ自己位置とから、他方の相対的位置を演算するものであることを特徴とする爆発物探知システム。」、
（２）「上記無人地上走行装置が、ＧＰＳ自己位置を取得できないとき、ＧＰＳ受信エラー、及び、上記相対的位置を送信し、
該ＧＰＳ受信エラーを受信した無人飛行体が、上記ライダーによる相対的位置取得可能エリア内で爆発物探知を行うものであることを特徴とする上記第（１）項に記載の爆発物探知システム。」、
（３）「上記無人地上走行装置が、ＧＰＳ自己位置を取得できないとき、ＧＰＳ受信エラー、及び、デッドレコニングによるＤＲ自己位置を送信し、
該ＧＰＳ受信エラーを受信した無人飛行体が、上記無人地上走行装置のＤＲ自己位置に基づいて、上記ライダーによる相対的位置取得可能エリア内を飛行するものであることを特徴とする上記第（１）項に記載の爆発物探知システム。」、
（４）「上記無人地上走行装置が、ＧＰＳ自己位置及び上記相対的位置を取得できないとき、
ＧＰＳ受信できた位置までデッドレコニング航法により走行するものであることを特徴とする上記第（３）項に記載の爆発物探知システム。」、
（５）「上記無人地上走行装置が、上記無人飛行体からの爆発物位置情報に基づいて爆発物を処理するものであることを特徴とする上記第（１）項〜上記第（４）項のいずれか１つの項に記載の爆発物探知システム。」、
（６）「上記無人飛行体が、上記無人走行装置から電力及び／又は燃料の供給を受けるものであることを特徴とする上記第（１）項〜上記第（５）項のいずれか１つの項に記載の爆発物探知システム。」、
（７）「上記無人飛行体が、無線通信の中継を行うことを特徴とする上記第（１）項〜上記第（６）項のいずれか１つの項に記載の爆発物探知システム。」、
（８）「無人飛行体及び／又は無人走行装置を複数備えることを特徴とする上記第（１）項〜上記第（７）項のいずれか１つの項に記載の爆発物探知システム。」によって解決される。
【発明の効果】
【００１４】
本発明によれば、無人飛行体と無人地上走行装置との相対的な位置情報と、無人飛行体または無人地上走行装置のいずれか一方のＧＰＳ受信器で取得した位置情報とから、他方の位置情報を取得することとしたため、ＧＰＳ電波を受信し難い場所においても能率的に爆発物の探知・処理を行うことができる爆発物探知システムを提供することができる。
【図面の簡単な説明】
【００１５】
【図１】無人地上走行装置がＧＰＳ電波を受信し難い場所にいる場合の運用状態の一例を示す概略図である。
【図２】無人地上走行装置がＧＰＳ電波を受信できる場所にいる場合の運用状態の一例を示す概略図である。
【図３】本発明の無人飛行体の一例を示す概略図である。
【図４】本発明の無人地上走行装置の一例を示す概略図である。
【発明を実施するための形態】
【００１６】
本発明の爆発物探知システムについて詳細に説明する。
本発明の爆発物探知システムは、地雷、不発弾、時限爆弾等の爆発物を探知し、処理するものである。
【００１７】
本発明の爆発物探知システムは、無人飛行体と無人地上走行装置とを用いるものであり、上記無人飛行体又は上記無人地上走行装置のいずれか一方のＧＰＳ受信器で取得したＧＰＳ−自己位置と、ライダーによって取得した上記無人飛行体と上記無人地上走行装置との相対的位置とから、他方の位置を演算して相対的−自己位置を取得することで、ＧＰＳ電波を受信し難い場所においても無人地上走行装置又は無人飛行体を運用することができ、高精度の爆発物探知が可能である。
【００１８】
そして、ＧＰＳ電波を受信できる場所と受信し難い場所とで、無人飛行体の運用状態を切り替えることで、高精度の爆発物探知を能率よく行うことができる。
【００１９】
具体的には、無人地上走行装置がＧＰＳ電波を受信し難い場所にいる場合においては、図１に示すように、無人飛行体がＧＰＳ電波を受信して得た飛行装置のＧＰＳ−自己位置情報と、ライダーから得た上記無人飛行体と無人走行装置との相対的な位置情報とから、上記無人地上走行装置の位置を演算して相対的自己位置を取得し、爆発物探知を継続して行う。
また、ＧＰＳ電波を受信できる場所においては、図２に示すように、上記無人飛行体が簡略的に広範囲の爆発物探知を迅速に行い、無人飛行体が取得した爆発物位置情報に基づいて、上記無人走行装置が詳細かつ高精度の爆発物探知を行うことで、爆発物探知を能率よく行うことができる。
【００２０】
さらに、無人飛行体と無人地上走行装置とを組み合わせ、無人飛行体が爆発物検知を行い、無人地上走行装置が爆発物確認・除去を行い、無人飛行体のバッテリー切れに対して、無人地上走行装置から給電する等、それぞれが役割分担することで爆発物探知を能率よく行うことができる。給電により、相対的自己位置の取得データを送信可能にすることができる。
【００２１】
＜無人飛行体＞
上記紀無人飛行体（以下、ＵＡＶ（Ｕｎｍａｎｎｅｄ  Ａｉｒ  Ｖｅｈｉｃｌｅ）ということがある。）は、自律飛行して、上空から地上を撮影して簡略的に広範囲の爆発物を探知し、探知した爆発物位置情報を後述する無人地上走行装置に無線送信するものである。
【００２２】
上記無人飛行体は、カメラと、ＧＰＳ受信器と、無線通信装置、及び飛行制御装置を備え、必要に応じて、ライダー反射用マーカ等を有することができる。
【００２３】
上記無人飛行体としては、基本的な飛行機能を有するものであればよく、例えば、ドローン、マルチコプター等を挙げることができる。
【００２４】
図３に無人飛行体１の一例を示す。
図３中、１１はカメラ、１２は飛行体演算装置、１３はＧＰＳ受信器、１４は無線通信装置、１５は飛行センサ、１６はライダー、１７は飛行装置、１８は反射板、１９は電源装置である。
【００２５】
上記カメラ１１としては、可視光カメラ、赤外線カメラを挙げることができる。撮影画像を飛行体演算装置１２によって処理し爆発物を探知する。可視光カメラの画像からは、散布地雷等、地表に露出した地雷を探知することができ、また、赤外線カメラの画像からは、周囲との温度差や周囲との放射率の差等から埋設された地雷を探知することができる。
また、撮影した画像を無人地上走行装置に送信することで、無人地上走行装置は地形情報等を得ることができ、走行経路の設定に利用できる。
なお、無人飛行体１による爆発物の探知は、上記カメラ１１だけでなく磁気センサで行ってもよい。
【００２６】
上記ＧＰＳ受信器１３は、上空にある数個のＧＰＳ（Ｇｌｏｂａｌ  Ｐｏｓｉｔｉｏｎｉｎｇ  Ｓｙｓｔｅｍ）衛星からの信号を受信し、自己の現在位置を取得するものであり、ＧＰＳ受信器によりＧＰＳ−ＵＡＶ自己位置を取得できる。
【００２７】
また、無線通信装置１４は、基地局及び／又は無人走行装置との無線通信を行うものであり、基地局と無人走行装置間の無線通信の中継をも行うことができる。
【００２８】
上記飛行体演算装置１２は、無線通信装置１４を介して基地局及び／又は無人走行装置から送信される指令、及び／又は、予め設定された指令に基づいて飛行経路を演算する。
そして、飛行センサ１５は、高度センサ、速度センサ、地磁気センサ  姿勢センサ、加速度センサ等の各種センサを備え、上記ＧＰＳ受信器１３から水平面位置情報と併せて、高度、速度、方位情報等、飛行のための情報をそれぞれ出力する。なお、上記高度センサは、後述するライダー１６であってもよい。
【００２９】
上記ライダー１６（以下、ＬＩＤＡＲ（Ｌｉｇｈｔ  Ｄｅｔｅｃｔｉｏｎ  ａｎｄ  Ｒａｎｇｉｎｇ）ということがある。）は、多点レーザー送受信センサを内蔵し、全方位を高速でスキャンして３６０°全周のリアルタイム３Ｄイメージを取得するものである。
上記ライダーは、無人飛行体と無人地上走行装置との距離及び方角を計測し、また障害物の有無、地上までの距離等の周囲情報を取得する。
【００３０】
上記飛行装置１７は、無人飛行体を飛行させるための装置であり、例えば、ロータ等が挙げられる。飛行装置は１７、飛行体演算装置１２からの指令により動作する。
【００３１】
また、飛行体演算装置１２は、自律飛行中に、姿勢センサから姿勢角の情報を取得するとともに、加速度センサから、前後、左右、上下の加速度情報を取得し、これら情報に基づいて制御指令や操舵指令の修正信号を生成し、飛行装置の姿勢を制御して無人飛行体を自律飛行させる。
【００３２】
上記無人飛行体１は、ライダー反射用マーカとしての反射板１８を備えることが好ましい。上記反射板１８によって、無人飛行体と無人地上走行装置との、正確な距離及び正確な方角を得ることができ、相対的位置の精度が向上する。
【００３３】
＜無人地上走行装置＞
上記無人地上走行装置（以下、ＵＧＶ（ｕｎｍａｎｎｅｄ  ｇｒｏｕｎｄ  ｖｅｈｉｃｌｅ）ということがある。）は、上記無人飛行体からの爆発物位置情報及び／又は予め設定された探知ルートに基づいて自律走行し、地雷等の爆発物を処理して無力化するものである。
【００３４】
上記無人走行装置は、基本的な走行の機能を有するものであればよく、エンジン車、電動車又はこれらを合わせたハイブリッド車であってもよく、また、装輪タイプ、装軌(無限軌道)タイプ、又は、これらを合わせたハイブリッドタイプなどを挙げることができる。
【００３５】
無人地上走行装置は、爆発物探知器と、爆発物処理装置と、ライダーと、ＧＰＳ受信器と、無線通信装置と、演算装置とを備え、必要に応じて飛行体離発着ポートを有することができる。
【００３６】
図４に無人地上走行装置２の一例を示す。図４（ａ）は無人地上走行装置の側面図、図４（ｂ）は無人地上走行装置の平面図である。
図４中、２１は爆発物探知器、２２は爆発物処理装置、２３はライダー、２４はＧＰＳ受信器、２５は無線通信装置、２６は演算装置、２７は飛行体離発着ポート、２８は給電装置、２９は、飛行体離発着ポート位置マーカである。
上記ライダー２３及びＧＰＳ受信器２４は、無人飛行体が備えるものと同じであるので、説明を省略する。
【００３７】
上記爆発物探知装置２１としては、電磁波、超音波、レーザー等の探知波を地面方向に向けて送信して反射波を受信し、反射波の強度や波形等から、地中に埋設された埋設物の材質や構造等を解析して爆発物を探知するものや、磁気で爆発物を探知するものを挙げることができる。
上記爆発物探知装置２１によって、高精度な爆発物探知を行うことで、確実に爆発物を処理することができる。
【００３８】
上記爆発物処理装置２２としては、ディスラプタによる信管破壊、マニピュレータ等により爆発物を掘り起こして回収する爆発物処理装置、カッターで爆発物を破壊するロータリードラムカッター式爆発物処理装置、チェーンを回転によって地面に叩きつけ、地中に埋まる爆発物を爆発させるチェーン式爆発物処理装置等を挙げることができる。
【００３９】
上記ライダー２３は、無人飛行体と無人地上走行装置との距離及び方角を計測し、また障害物の有無等の周囲情報を取得するものである。上記ＧＰＳ受信器２４は、ＧＰＳ−ＵＧＶ自己位置を取得するものであり、上記無線通信装置２５は、基地局及び／又は無人飛行体との無線通信を行うものである。
【００４０】
上記演算装置２６は、上記無人飛行体からの爆発物位置情報及び／又は予め設定された探知範囲と、無人地上走行装置２の自己位置とに基づいて走行経路を設定する。
【００４１】
そして、上記走行経路を走行させるために、アクセル、ブレーキ、及びステアリングを制御する機能を有し、これらを作動させるアクチュエータ等の制御量を算出して信号を送信し、無人地上走行装置２を走行させる。
【００４２】
上記走行経路は、上記ライダーからの情報に基づいて障害物を回避したものとすることができ、加えて、無人飛行体の爆発物探知結果及び／又は撮影画像に基づいて安全な箇所を走行するように設定され、目的地までの迅速な到達が可能となる。
【００４３】
上記無人地上走行装置の自己位置は、ＧＰＳ−ＵＧＶ自己位置、相対的−ＵＧＶ自己位置、又はＤＲ−ＵＧＶ自己位置のいずれであってもよい。
【００４４】
本発明において、上記ＧＰＳ自己位置は、ＧＰＳ受信器から得た自己位置である。
また、上記相対的−自己位置は、上記ライダーが計測した無人飛行体と無人地上走行装置との距離及び方角から、無人飛行体と無人地上走行装置との相対的位置を演算し、該相対的位置と無人飛行体のＧＰＳ自己位置とから得た自己位置である。
【００４５】
さらに、ＤＲ自己位置は、ジャイロセンサ、加速度センサ、速度センサ等の各種センサからの情報を合わせて演算処理したデッドレコニング（Ｄｅａｄ  Ｒｅｃｋｏｎｉｎｇ）によって得た自己位置である。なお、デッドレコニングに必要な各種センサは無人地上走行装置に搭載される。
【００４６】
また、上記演算装置は、上記爆発物位置情報に基づいて爆発物をマッピングした地図を生成し、上記走行経路及び爆発物処理終了箇所を基地局に送信すると共に記憶装置に記録する。
【００４７】
上記飛行体離発着ポート２７は、上記無人飛行体を保持するものであり、無人飛行体に電力を供給する給電装置２８を備えることが好ましい。無人飛行体１は、バッテリー容量の制約から長時間の飛行が不可能であるが、給電装置を備えることで、飛行の中断時間を短縮することが可能になり、能率的に爆発物探知・処理を行うことができる。
【００４８】
上記給電装置２８は、バッテリー充電器やバッテリー交換機を挙げることができ、いずれか一方を有すればたりるが、両方を有することが好ましい。無人飛行体が飛行している間に予備バッテリーの充電を行って、次のバッテリー交換の準備をすることができ、飛行の中断時間を最小限にすることができる。
【００４９】
次に、本発明の爆発物探知システムの動作について説明する。
【００５０】
無人飛行体（ＵＡＶ）は設定された爆発物探知範囲を飛行し、高所から地上を撮影し、演算装置で画像を処理し爆発物の探知を行う。ＵＡＶは、飛行しながらＧＰＳ−ＵＡＶ自己位置、及び、バッテリー残量等の飛行状態データを、無線通信機によって逐次送信する。なお、上記ＧＰＳ自己位置には、タイムスタンプが付加されている。
【００５１】
無人地上走行装置（ＵＧＶ）は、ＧＰＳ−ＵＧＶ自己位置又はＤＲ−ＵＧＶ自己位置を逐次送信する。ＬＩＤＡＲによってＵＡＶとＵＧＶとの相対的位置を得られるときは、併せて送信してもよい。
【００５２】
ＵＡＶは爆発物を探知すると、撮影画像から爆発物の方角、高度センサ、及びＧＰＳ自己位置から、爆発物の位置を算出し、爆発物位置情報を送信する。上記爆発物位置情報は、ＵＡＶに備えるＬＩＤＡＲによる測距データを用いて算出してもよい。また、撮影画像からの爆発物探知は、ＵＧＶの演算装置が行うこともできる。
【００５３】
上記爆発物位置情報を受信した無人地上走行装置（ＵＧＶ）は、爆発物をマッピングした地図を生成し、直接又はＵＡＶを介して基地局に送信する。
【００５４】
ＵＧＶの演算装置は、上記ＵＡＶからの爆発物位置情報等又は基地局からの指令とＵＧＶ自己位置に基づいて爆発物までの走行経路を設定する。ＵＡＶは設定された走行経路を走行して爆発物付近に到達し、ＵＧＶに備える爆発物探知装置によって詳細な爆発物探知を行う。
【００５５】
爆発物を探知したＵＧＶは、上記爆発物処理装置によって爆発物を無力化する。そして、爆発物処理の結果を直接又はＵＡＶを介して基地局に送信する。
【００５６】
上記ＵＡＶからの爆発物位置情報を複数受信したときには、次の爆発物まで走行し、爆発物探知・処理を繰り返し行い、すべての爆発物を無力化する。  
【００５７】
上記ＵＧＶは、ＧＰＳ−ＵＧＶ自己位置を取得できないとき、ＧＰＳ受信エラー及び上記相対的位置を送信し、上記ＵＡＶの飛行範囲をライダー１６で見通せる範囲、すなわち相対的位置取得可能エリア内に制限する。
【００５８】
そして、ライダーの測距データからＵＡＶとＵＧＶとの相対的位置を演算した時間と、同じ時間に送信されたＧＰＳ−ＵＡＶ自己位置とから、相対的−ＵＧＶの自己位置を演算して取得し、爆発物処理を継続する。
【００５９】
なお、ＧＰＳ受信エラーを受信し、飛行範囲の制限を受けたＵＡＶは、相対的位置取得可能エリア内で爆発物探知を行ってもよい。
【００６０】
また、上記ＵＡＶがライダーで見通せる範囲外で爆発物探知を行っている場合に、ＧＰＳ−ＵＧＶ自己位置を取得できないとき、上記ＵＧＶは、ＧＰＳ受信エラー及び上記ＤＲ−ＵＧＶ自己位置を送信する。
【００６１】
上記ＵＡＶは、ＧＰＳ受信エラー、及びＤＲ−ＵＧＶ自己位置を受信すると、上記ＤＲ−ＵＧＶ自己位置に基づいて飛行し、ＬＩＤＡＲで見通せる範囲に移動する。
【００６２】
そして、ＵＡＶがライダーによって見通せる範囲に入ったら、上記ＵＧＶは、ＵＡＶとＵＧＶとの相対的位置を演算した時間と、同じ時間に送信されたＧＰＳ−ＵＡＶ自己位置とから、相対的−ＵＧＶ自己位置を演算し、爆発物処理を継続する。
【００６３】
さらに、上記ＧＰＳ受信エラー及び上記ＤＲ−ＵＧＶ自己位置を送信しても、相対的−ＵＧＶ自己位置を取得できないとき、ＵＧＶは、最後にＧＰＳ−ＵＧＶ自己位置を得られた位置まで、デッドレコニング航法により走行してきた経路を戻る。したがって、自己位置が得られずＵＧＶが走行不能になることが防止される。
【００６４】
そして、ＧＰＳ−ＵＧＶ自己位置を取得したＵＧＶは、ＧＰＳ−ＵＧＶ自己位置を送信し、ＵＡＶの飛行制限を解除する。ＧＰＳ−ＵＧＶ自己位置を受信したＵＡＶは、爆発物探知を中断した場所に戻り、爆発物探知を再開する。
【００６５】
また、ＵＡＶが、ＧＰＳ−ＵＡＶ自己位置を取得できなくなった場合は、ＵＧＶがＧＰＳ−ＵＧＶ自己位置と相対的位置とから、相対的−ＵＡＶ自己位置を演算し、ＵＡＶに逐次送信し、ＵＡＶは飛行を継続する。また、ＵＧＶからの相対的−ＵＡＶ自己位置を受信できないときは、ＵＧＶと同様、最後にＧＰＳ−ＵＡＶ自己位置を得られた位置まで、飛行した経路をデッドレコニング航法により戻る。
【００６６】
さらに、ＵＡＶとＵＧＶの無線通信が途切れた場合は、ＵＡＶとＵＧＶの両方が、最後に無線通信ができていた場所まで戻って無線通信を確立する。
【００６７】
本発明の爆発物探知システムは、複数のＵＡＶを備えることができる。複数のＵＡＶは探知範囲を分担して爆発物探知を行ってもよく、無線通信の中継を行うＵＡＶと爆発物探知を行うＵＡＶとに役割を分けて運用することもできる。
【００６８】
上記複数のＵＡＶうち、一のＵＡＶが、ライダーによって見通せる範囲内でＵＧＶの上空を飛行し、ＵＧＶと他のＵＡＶ間、ＵＧＶと基地局間の無線通信を中継することで、ＵＧＶ自己位置の取得及び無線通信が確立され、爆発物探知を継続して行うことができる。
【００６９】
また、ＵＡＶのバッテリー残量が少なくなった場合は、ＵＡＶはＵＧＶまで飛行し、ＵＧＶの離発着ポートに降りて給電を受ける。ＵＧＶから給電を受けることで、充電のために基地局まで戻る必要がなく、能率的な爆発物探知を行うことができる。
【００７０】
上記のように本発明の爆発物探知システムは、ＧＰＳ電波を受信し難い場所においても無人で爆発物探知・処理を行うことができ、基地局で爆発物探知システムとの運用状態を把握でき、爆発物探知システムを失うことが防止される。
【符号の説明】
【００７１】
１    無人飛行体
１１  カメラ
１２  飛行体演算装置
１３  ＧＰＳ受信器
１４  無線通信装置
１５  飛行センサ
１６  ライダー
１７  飛行装置
１８  反射板
１９  電源装置
２    無人地上走行装置
２１  爆発物探知器
２２  爆発物処理装置
２３  ライダー
２４  ＧＰＳ受信器
２５  無線通信装置
２６  演算装置
２７  飛行体離発着ポート
２８  給電装置
２９  飛行体離発着ポート位置マーカ
【図１】
0006598154.tif 000002
【図２】
0006598154.tif 000003
【図３】
0006598154.tif 000004
【図４】
0006598154.tif 000005